(57)【要約】【課題】コンソールドアが収納部の開口を全面にわたって閉ざすことができ、かつ、開いた状態ではコンパクトになり、しかもコンソールドアの開閉いずれの状態においても意匠性を高めることが可能なコンソールボックスを提供する。【解決手段】コンソールボックスであって、コンソールドア２０は、コンソール本体１０に対して第1ヒンジ軸２２を支点として開閉方向へ回転する。補助ドア３０は、コンソールドアに対して第1ヒンジ軸と平行な第２ヒンジ軸３２を支点として回転する。コンソールドアが第1ヒンジ軸を支点として開閉方向へ回転することにより、補助ドアが第２ヒンジ軸を支点として回転する。補助ドア３０は、コンソールドアを開いた状態では意匠面３４を表側にしてコンソールドアの裏面２４に収まり、コンソールドアを閉じた状態では同じ意匠面３４を表側にしてコンソールドアと共に収納部１２の開口１２ａを閉ざす。【選択図】図１
2009096334.tif 000002
【特許請求の範囲】
【請求項１】
コンソール本体における収納部の開口を、コンソールドアおよび補助ドアによって開閉する形式のコンソールボックスであって、
コンソールドアは、コンソール本体に対して第1ヒンジ軸を支点として開閉方向へ回転するように結合されているとともに、補助ドアは、コンソールドアに対して第1ヒンジ軸と平行に配置された第２ヒンジ軸を支点として回転するように結合され、コンソールドアが第1ヒンジ軸を支点として開閉方向へ回転操作されることに伴って、補助ドアが第２ヒンジ軸を支点として回転するように構成され、補助ドアは、コンソールドアを開いた状態では意匠面を表側にしてコンソールドアの裏面に収まり、コンソールドアを閉じた状態では同じ意匠面を表側にしてコンソールドアと共に収納部の開口を閉ざすように設定されているコンソールボックス。
【請求項２】
請求項１に記載されたコンソールボックスであって、
補助ドアの意匠面は、コンソール本体の収納部における開口周りの上面に対応させた意匠構成になっているコンソールボックス。
【請求項３】
請求項１又は２に記載されたコンソールボックスであって、
コンソールドアを開いた状態での補助ドアは、その意匠面とコンソール本体における収納部の内面とが平坦面で連続するように設定されているコンソールボックス。
【請求項４】
請求項１、２又は３に記載されたコンソールボックスであって、
コンソール本体における収納部の内壁に、補助ドアにおける第２ヒンジ軸とは反対側の端部の裏面を受け止め可能で、かつ、収納部の開口を開閉する補助ドアの動きを案内することが可能なレール部が設けられているコンソールボックス。
【請求項５】
請求項１、２、３又は４に記載されたコンソールボックスであって、
コンソール本体と補助ドアとがケーブルによって連結されているとともに、このケーブルは、コンソールドアが収納部の開口を閉ざす方向へ回転するときに補助ドアに対して引っ張り力を付与するように取り回しされ、ケーブルの引っ張り力を受けた補助ドアは、コンソールドアの裏面に収まった状態から収納部の開口を閉ざす方向へ回転するように設定されているコンソールボックス。
【発明の詳細な説明】
【技術分野】
【０００１】
本発明は、車両用のコンソールボックスに関し、特に収納部の開口をコンソールドアと補助ドアとによって開閉する形式のコンソールボックスに関する。
【背景技術】
【０００２】
近年、大容量の収納部を確保するために大型化したコンソールボックスが増えており、それに伴って収納部の開口を開閉するコンソールドアも大型になっている。大型のコンソールドアは、それを開いたときに後部シートの着座者に対して圧迫感を与え、あるいは前方の視野を妨げることになる。この対策として、コンソールドアを収納部における開口の一部のみを閉ざすコンパクトなサイズに設定する手段、あるいはコンソールドアをその開閉のための回転半径方向へ伸縮可能に構成する手段がある。
後者の手段については、例えば特許文献１に開示されているように、コンソールドアを構成する二要素がスライド可能に結合されている。そして、コンソールドアを開いたときには二要素が短縮した状態にスライドしてコンパクトなサイズとなり、コンソールドアを閉じたときには二要素が伸長した状態にスライドして、収納部の開口を全面にわたって閉ざすことができる。
【特許文献１】特開平１１−２６８５８６号公報
【発明の開示】
【発明が解決しようとする課題】
【０００３】
このように大型のコンソールボックスにおいて、そのコンソールドアのコンパクト化を図ることは重要な課題であるが、その一方ではコンソールボックスの意匠性を向上させるための要望も大きい。ここで、コンソールドアを収納部の開口面積に比べてコンパクトなサイズに設定した手段では、コンソールドアを閉ざした状態においても収納部の開口が部分的に開放されたままとなり、収納部の内部が見えて意匠性を損なう。また、スライドによって伸縮するコンソールドアにおいては、収納部の開口を全面にわたって閉ざすことができるものの、この開口を開いたときにはコンソールドアを構成する二要素のうち、いずれかの裏面が見えて意匠性を損なう。
【０００４】
本発明は、このような課題を解決しようとするもので、その目的は、コンソールドアが収納部の開口をその全面にわたって閉ざすことができ、かつ、開いた状態ではコンパクトになり、しかもコンソールドアの開閉いずれの状態においても意匠性を高めることが可能なコンソールボックスを提供することである。
【課題を解決するための手段】
【０００５】
本発明は、上記の目的を達成するためのもので、以下のように構成されている。
第１の発明は、コンソール本体における収納部の開口を、コンソールドアおよび補助ドアによって開閉する形式のコンソールボックスであって、コンソールドアは、コンソール本体に対して第1ヒンジ軸を支点として開閉方向へ回転するように結合されている。補助ドアは、コンソールドアに対して第1ヒンジ軸と平行に配置された第２ヒンジ軸を支点として回転するように結合されている。コンソールドアが第1ヒンジ軸を支点として開閉方向へ回転操作されることに伴って、補助ドアが第２ヒンジ軸を支点として回転するように構成されている。補助ドアは、コンソールドアを開いた状態では意匠面を表側にしてコンソールドアの裏面に収まり、コンソールドアを閉じた状態では同じ意匠面を表側にしてコンソールドアと共に収納部の開口を閉ざすように設定されている。
【０００６】
このように、コンソールドアと補助ドアとによってコンソール本体における収納部の開口をその全面にわたって閉ざすことができるとともに、開いた状態でのコンソールドアが該開口の面積に比べてコンパクトになり、後部シートの着座者に対する圧迫感や視野の障害感が解消される。しかも、コンソールドアの開閉いずれの状態においても、補助ドアの一つの意匠面が常に表側に位置することにより、収納部の開口を閉ざしたときは勿論のこと、開口を開いたときのコンソールドアの裏面も含めて意匠性を高めることができる。
【０００７】
第２の発明は、第１の発明において、補助ドアの意匠面は、コンソール本体の収納部における開口周りの上面に対応させた意匠構成になっている。
これにより、収納部の開口をコンソールドアおよび補助ドアによって閉ざしたときのコンソール本体の上面における意匠性がより向上する。
なお、ここでいう「意匠構成」とは、色彩や質感の統一もしくは調和を図るための構成である。
【０００８】
第３の発明は、第１又は２の発明において、コンソールドアを開いた状態での補助ドアは、その意匠面とコンソール本体における収納部の内面とが平坦面で連続するように設定されている。
この場合には、コンソールドアを開いたときの該コンソールドアの裏面から収納部の内面にかけての意匠性がより向上する。
【０００９】
第４の発明は、第１、２又は３の発明において、コンソール本体における収納部の内壁に、補助ドアにおける第２ヒンジ軸とは反対側の端部の裏面を受け止め可能で、かつ、収納部の開口を開閉する補助ドアの動きを案内することが可能なレール部が設けられている。
これにより、補助ドアの動きスムースになり、また、収納部の開口を閉ざした状態での補助ドアの姿勢が安定する。
【００１０】
第５の発明は、第１、２、３又は４の発明において、コンソール本体と補助ドアとがケーブルによって連結されている。このケーブルは、コンソールドアが収納部の開口を閉ざす方向へ回転するときに補助ドアに対して引っ張り力を付与するように取り回しされている。そして、ケーブルの引っ張り力を受けた補助ドアは、コンソールドアの裏面に収まった状態から収納部の開口を閉ざす方向へ回転するように設定されている。
【００１１】
このように、ケーブルの引っ張り力を利用して収納部の開口を閉ざすときのコンソールドアの回転を補助ドアに伝達することにより、簡単な構成で補助ドアを的確に連動させることができる。
【発明を実施するための最良の形態】
【００１２】
以下、本発明を実施するための最良の形態を、図面を用いて説明する。
まず、本発明における実施の形態１を図１〜図８によって説明する。
図１は、ドアを開いた状態の大型のコンソールボックスを表した外観斜視図である。図２は、図１の側断面図である。これらの図面で示すように、コンソール本体１０は上面が開放された大容量の収納部１２を有し、この収納部１２の開口１２ａにおける左右両側部は側縁部材１３でそれぞれ装飾されている。これらの側縁部材１３の上面および開口１２ａの前方においてコンソール本体１０の閉塞面となっている前側上面１６は、それぞれの色彩や質感を統一もしくは調和させた意匠構成になっている。なお、収納部１２における前方寄りの左右両内壁には、後述する補助ドア３０を案内するためのレール部１４がそれぞれ設けられている。
【００１３】
コンソール本体１０における収納部１２の後側には、該収納部１２の開口１２ａを開閉するためのコンソールドア２０が設けられている。このコンソールドア２０は、凹状の裏面２４を有するとともに、その先端部（図１、図２における上端部）にはロックノブ２６が設けられている。また、コンソールドア２０における裏面２４の左右両側部は、側縁部材２１によってそれぞれ装飾されている。これらの側縁部材２１の一端部（図１、図２における下端部）が、コンソール本体１０の両側縁部材１３の後方端部に対し、第１ヒンジ軸２２によって回転可能に結合されている。これによってコンソールドア２０は、コンソール本体１０に対し、第１ヒンジ軸２２を支点として収納部１２の開口１２ａを開閉する方向へ回転することができる。
【００１４】
コンソール本体１０の両側縁部材１３とコンソールドア２０の両側縁部材２１とは、後述するようにコンソールドア２０によって収納部１２の開口１２ａを閉ざしたときに、互いに接合するように相互の形状を対応させている。なお、コンソールドア２０における両側縁部材２１の縁面（図１、図２の前面）についても、コンソール本体１０における両側縁部材１３の上面および前側上面１６に対応させた意匠構成になっている。したがって、コンソールドア２０を開いた状態における収納部１２の開口１２ａ周りの上面は、色彩や質感を統一もしくは調和させた意匠構成になっている。
【００１５】
コンソールドア２０における凹状の裏面２４には、該コンソールドア２０と共に収納部１２の開口１２ａを開閉するための補助ドア３０が位置している。この補助ドア３０の一端部（図１、図２における上端部）は、コンソールドア２０の両側縁部材２１に対し、第２ヒンジ軸３２によって回転可能に結合されている。第２ヒンジ軸３２は第1ヒンジ軸２２と平行に配置されており、この第２ヒンジ軸３２を支点として補助ドア３０が収納部１２の開口１２ａを開閉する方向へ回転する。
【００１６】
図１および図２で示すようにコンソールドア２０を開いた状態での補助ドア３０は、その意匠面３４を表側にしてコンソールドア２０の裏面２４に収まっている。また、この状態における補助ドア３０の意匠面３４は、コンソール本体１０における収納部１２の内面１２ｂに対し、相互の境目に段差が生じないように平坦面で連続している（図２）。なお、補助ドア３０の意匠面３４は、収納部１２の開口１２ａ周りの上面、すなわちコンソール本体１０における両側縁部材１３の上面、前側上面１６およびコンソールドア２０の両側縁部材１３の縁面に対応させた意匠構成になっている。
【００１７】
図２で示すように、補助ドア３０における第２ヒンジ軸３２の斜め上部に設定された入力点３６にケーブル４０の一端部が結合されている。このケーブル４０は、コンソールドア２０の内底部に固定されたパイプ形状のケーブルガイド４４内を通ってコンソール本体１０の内部に導かれている。そして、ケーブル４０は、収納部１２の外面に固定されたストッパー受け４８に対し、その上側から下側に通されているとともに、ケーブル４０の他端部にはストッパー受け４８の下側においてウエイトを兼ねたストッパー４６が固定されている。また、ケーブル４０に対しては、補助ドア３０の入力点３６とコンソールドア２０側のケーブルガイド４４との間においてテンションスプリング４２を介在させている。
コンソールドア２０を開いた状態にあっては、補助ドア３０の入力点３６に対してはケーブル４０を通じてストッパー４６の質量に基づく力しか働いておらず、補助ドア３０はコンソールドア２０の裏面２４に収まった状態に保持されている。また、この状態においては、ストッパー４６とストッパー受け４８との間には所定の距離が確保されている（図２）。
【００１８】
つづいて、コンソール本体１０における収納部１２の開口１２ａを閉ざす方向へコンソールドア２０を回転操作するときの各部材の作動について説明する。
コンソールドア２０の回転操作における初期状態を外観斜視図で表した図３、その側断面図を表した図４で示すように、コンソールドア２０を第１ヒンジ軸２２の軸線回りに閉じ方向へ回転させることに連動し、補助ドア３０がその自重によって第２ヒンジ軸３２の軸線回りに回転する。これにより、補助ドア３０はコンソールドア２０の裏面２４から脱出して第２ヒンジ軸３２から垂直にぶら下がった状態になる（図４）。
なお、コンソールドア２０の回転に伴い、補助ドア３０の入力点３６が第１ヒンジ軸２２の軸線回りに移動してケーブル４０が引っ張られる。これにより、ストッパー４６が引き上げられてストッパー受け４８で受け止められる。この状態において、コンソール本体１０と補助ドア３０の入力点３６とがケーブル４０によって連結されたこととなる。
【００１９】
コンソールドア２０の回転操作における途中状態を外観斜視図で表した図５、その側断面図を表した図６で明らかなように、コンソールドア２０を第１ヒンジ軸２２の軸線回りにさらに回転させると、ストッパー４６がストッパー受け４８で受け止められているケーブル４０にテンションが生る。このテンションはスプリング４２の伸びによって吸収されると同時に、補助ドア３０の入力点３６に引っ張り力を作用させる。これにより、補助ドア３０を第２ヒンジ軸３２の軸線回りに強制的に回転させる。
このようにコンソールドア２０の回転と、それに伴う補助ドア３０の回転とによって収納部１２の開口１２ａが徐々に閉ざされるとともに、その過程において補助ドア３０の先端部がコンソール本体１０の両レール部１４で受けられる。
【００２０】
引き続いてコンソールドア２０を回転させると、補助ドア３０はケーブル４０のテンションによる回転力を受け、同時に両レール部１４に沿ってスライドしながら回転する。その結果、図７の外観斜視図および図８の側断面図で示すように、コンソールドア２０および補助ドア３０によって収納部１２の開口１２ａが閉ざされ、コンソールドア２０がロックノブ２６に連動するロック機構（図示省略）によってコンソール本体１０側にロックされる。このとき、スプリング４２は最も伸びており、このスプリング４２によって補助ドア３０の入力点３６とストッパー４６との間におけるケーブル４０の長さおよびテンションが調整される。
【００２１】
また、収納部１２の開口１２ａが閉ざされた状態においても、補助ドア３０の意匠面３４は表側に位置している。しかも、この意匠面３４は、既に説明したように収納部１２の開口１２ａ周りの上面、すなわちコンソール本体１０における両側縁部材１３の上面および前側上面１６に対応させた意匠構成になっている。したがって、図1および図２で示すように収納部１２の開口１２ａを開いた状態、あるいは図７および図８で示すように収納部１２の開口１２ａを閉ざした状態のいずれにおいても、補助ドア３０の意匠面３４が表側に位置する。そして、この意匠面３４は、収納部１２の開口１２ａ周りの上面に対して互いの色彩や質感を統一もしくは調和させていることから、コンソールボックスの意匠性が向上する。
【００２２】
収納部１２の開口１２ａを再び開くには、コンソールドア２０のロックノブ２６操作してロックを解除して該コンソールドア２０を第１ヒンジ軸２２の軸線回りに開き方向へ回転させる。これに連動して補助ドア３０が第２ヒンジ軸３２の軸線回りに図３〜図６の逆順に回転する。最終的にコンソールドア２０を完全に開いた状態では、図１および図２で示すように、補助ドア３０はコンソールドア２０の裏面２４に収まる。
このように、大容量の収納部１２を有する大型のコンソールボックスであっても、コンソールドア２０と補助ドア３０とによって収納部１２の開口１２ａをその全面にわたって閉ざすことができる（図７、図８）。しかしながら、収納部１２の開口１２ａを開いた状態でのコンソールドア２０は、その裏面２４に補助ドア３０が収まることによってコンパクトになり、後部シートの着座者に対する圧迫感などが解消される。
【００２３】
つぎに、本発明における実施の形態２を図９（Ａ）（Ｂ）によって説明する。
図９（Ａ）は収納部１２の開口１２ａを開いた状態のコンソールボックスを表した側断面図、図９（Ｂ）は収納部１２の開口１２ａを閉ざした状態のコンソールボックスを表した側断面図である。これらの図面で示すように、実施の形態２におけるケーブル４０は、補助ドア３０の入力点３６とコンソール本体１０側とを直接連結している。つまり、ケーブル４０のコンソール本体１０側の端部は収納部１２の外面に固定され、実施の形態１におけるストッパー４６、ストッパー受け４８およびスプリング４２が廃止されている。
これに代わる手段として、図９（Ｂ）で示すようにコンソールドア２０を閉じた状態にフル回転させたときに、ケーブルガイド４４のコンソール本体１０側の端部が移動する距離Ｌ１と、補助ドア３０の回転に伴って入力点３６が移動する距離Ｌ２とを同じ長さに設定している。これにより、コンソールドア２０を開閉方向へ回転させると、補助ドア３０がダイレクトに連動して回転することになる。
【００２４】
さらに、本発明における実施の形態３を図１０によって説明する。
図１０は、収納部１２の開口１２ａを閉ざし始めた状態のコンソールボックスを表した外観斜視図である。この図で示すように補助ドア３０の端部に操作用の取っ手３８を設け、この取っ手３８に手を掛けて引っ張ることで、コンソールドア２０および補助ドア３０を共に閉じ方向へ回転させて収納部１２の開口１２ａを閉ざす。また、収納部１２の開口１２ａを開くときは、実施の形態１の場合と同様にコンソールドア２０を回転させることで補助ドア３０も追従して回転する。これにより、補助ドア３０をケーブル４０で引っ張るといった機構を廃止することが可能となる。
【図面の簡単な説明】
【００２５】
【図１】コンソールドアを開いた状態のコンソールボックスを表した外観斜視図。
【図２】図１の側断面図。
【図３】コンソールドアを閉じる操作の初期状態を表した外観斜視図。
【図４】図３の側断面図。
【図５】コンソールドアを閉じる操作の途中状態を表した外観斜視図。
【図６】図５の側断面図。
【図７】コンソールドアを閉じた状態を表した外観斜視図。
【図８】図７の側断面図。
【図９】実施の形態２のコンソールボックスを表した側断面図。
【図１０】実施の形態３のコンソールボックスを表した外観斜視図。
【符号の説明】
【００２６】
１０ コンソール本体
１２ 収納部
１２ａ  開口
２０ コンソールドア
２２ 第１ヒンジ軸
２４ 裏面
３０ 補助ドア
３２ 第２ヒンジ軸
３４ 意匠面
３６ 入力点
４０ ケーブル
４２ スプリング
【図１】
2009096334.tif 000003
【図２】
2009096334.tif 000004
【図３】
2009096334.tif 000005
【図４】
2009096334.tif 000006
【図５】
2009096334.tif 000007
【図６】
2009096334.tif 000008
【図７】
2009096334.tif 000009
【図８】
2009096334.tif 000010
【図９】
2009096334.tif 000011
【図１０】
2009096334.tif 000012